(57)【要約】【課題】簡易な構成で音声出力部の調整をすることができ、所望の特性を有する音声出力部を備えた音声出力装置を提供する。【解決手段】制御部１０１のサンプル音データ信号生成部１０１２は、複数のサンプル音データ信号を低周波数側から順番に生成する。スピーカ１０５は、サンプル音データ信号に基づくサンプル音を出力する。スピーカ１０５から出力したサンプル音を外部マイク２０で拾音したときの、外部マイク２０の出力信号強度を、信号強度測定部１０７で測定し、その測定結果をマイク出力強度取得部１０１３が取得する。イコライザ調整値算出部１０１４は、マイク出力強度取得部１０１３が取得したマイク出力強度、サンプル音データ信号が示す信号強度、記憶部１０８に記憶している基準値それぞれの周波数特性に基づいて、イコライザ調整値を算出し、得られた調整値を用いてイコライザ１０３を設定する。【選択図】図２
2013042329.tif 000002
【特許請求の範囲】
【請求項１】
音声データ信号を出力する音声データ信号出力手段と、
スピーカと、
前記音声データ信号出力手段から出力された音声データ信号を予め設定された周波数特性を有する増幅率で増幅し、増幅した信号を前記スピーカに供給する信号増幅手段と、
複数の固定周波数のサンプル音データ信号を生成し、前記スピーカに順次供給し、前記スピーカが出力した音声の強度を順次取得するスピーカ出力強度取得手段と、
各固定周波数の前記サンプル音データ信号が示す信号強度と前記スピーカ出力強度取得手段により取得された出力音声強度とに基づいて、前記信号増幅手段の増幅率の周波数特性を求め、前記信号増幅手段に設定する増幅率算出設定手段と、
を有することを特徴とする音声出力装置。
【請求項２】
前記増幅率算出設定手段は、各固定周波数の前記サンプル音データ信号が示す信号強度に対する、前記スピーカ出力強度取得手段により取得された出力音声強度の強度比の周波数特性を算出し、前記信号増幅手段の増幅率に前記強度比を乗じた値の周波数特性が、予め定めた基準値の周波数特性に等しくなるように、増幅率の周波数特性を求め、前記信号増幅手段に設定する、
ことを特徴とする請求項１記載の音声出力装置。
【請求項３】
前記基準値の周波数特性は、人間の可聴周波数領域内において略平坦である、
ことを特徴とする請求項２記載の音声出力装置。
【請求項４】
前記サンプル音データ信号の固定周波数は、人間の可聴周波数領域内の略等間隔の周波数である、
ことを特徴とする請求項１乃至３のいずれか１項に記載の音声出力装置。
【請求項５】
前記スピーカ出力強度取得手段は、各固定周波数のサンプル音データ信号を少なくとも２波長分生成させたものをスピーカに順次供給して、前記スピーカが出力した音声の強度を順次取得する、
ことを特徴とする請求項１乃至４のいずれか１項に記載の音声出力装置。
【請求項６】
前記音声出力装置に外部マイクを接続するマイク接続端子を更に有し、
前記スピーカ出力強度取得手段は、前記スピーカが出力した音声を前記マイク接続端子に接続した前記外部マイクで拾音して音声電気変換したマイク出力信号を前記マイク接続端子を介して取得し、前記マイク出力信号の強度を測定することにより、前記各固定周波数の出力音声強度を順次取得する、
ことを特徴とする請求項１乃至５のいずれか１項に記載の音声出力装置。
【請求項７】
前記マイク出力信号を予め設定された周波数特性を有する増幅率で増幅するマイク出力信号増幅手段を更に有し、
前記マイク出力信号増幅手段の増幅率の周波数特性は、前記外部マイクの音声電気変換効率の周波数特性に基づいて設定され、
前記スピーカ出力強度取得手段は、前記スピーカが出力した音声を前記外部マイクで拾音し、前記マイク出力信号を前記マイク出力信号増幅手段で増幅させた信号の強度を測定することにより、前記各固定周波数の出力音声強度を順次取得する、
ことを特徴とする請求項６記載の音声出力装置。
【請求項８】
音声データ信号を出力する音声データ信号出力部と、スピーカと、前記音声データ信号出力部から出力された音声データ信号を予め設定された周波数特性を有する増幅率で増幅し、増幅した信号を前記スピーカに供給する信号増幅部と、を備える音声出力装置における音声出力調整方法であって、
複数の固定周波数のサンプル音データ信号を生成し、前記スピーカに順次供給し、前記スピーカが出力した音声の強度を順次取得するスピーカ出力強度取得ステップと、
各固定周波数の前記サンプル音データ信号が示す信号強度と前記スピーカ出力強度取得ステップにより取得された出力音声強度とに基づいて、前記信号増幅部の増幅率の周波数特性を求め、前記信号増幅部に設定する増幅率算出設定ステップと、
を有することを特徴とする出力強度調整方法。
【請求項９】
音声データ信号を出力する音声データ信号出力部と、スピーカと、前記音声データ信号出力部から出力された音声データ信号を予め設定された周波数特性を有する増幅率で増幅し、増幅した信号を前記スピーカに供給する信号増幅部と、を備える音声出力装置を制御するコンピュータに、
複数の固定周波数のサンプル音データ信号を生成し、前記スピーカに順次供給し、前記スピーカが出力した音声の強度を順次取得するスピーカ出力強度取得手順と、
各固定周波数の前記サンプル音データ信号が示す信号強度と前記スピーカ出力強度取得手順により取得された出力音声強度とに基づいて、前記信号増幅部の増幅率の周波数特性を求め、前記信号増幅部に設定する増幅率算出設定手順と、
を実行させるためのプログラム。
【発明の詳細な説明】
【技術分野】
【０００１】
本発明は、音声出力装置、音声出力調整方法及びプログラムに関する。
【背景技術】
【０００２】
携帯電話やオーディオ端末等の音声出力機能を有する端末に内蔵されているスピーカは、供給される電気信号に基づいて音声を出力する。スピーカとその周辺回路から構成される音声出力部の設計に際し、音声出力部に供給される電気信号の強度と、スピーカの出力音の強度の比である音声出力部の電気音声変換効率が所望の周波数特性を有するように設計が行われる。しかし、スピーカや周辺回路を構成する部品の特性ばらつきや組立てばらつき等により、音声出力部の電気音声変換効率の周波数特性が設計通りの特性にならない場合がある。
【０００３】
また、スピーカや周辺回路を構成する部品の経年劣化により、部品の特性が変化し、音声出力部の電気音声変換効率の周波数特性が設計値に適合しなくなる場合がある。
【０００４】
この音声出力部の電気音声変換効率の周波数特性を設計値に適合させるために、イコライザをスピーカの前段に実装し、イコライザの増幅率の周波数特性を調整して、音声出力部の電気音声変換効率を調整する方法が知られている（例えば特許文献１）。
【０００５】
特許文献１に記載の周波数特性調整システムは、テスト用音声データを、イコライザを介してスピーカに入力させ、スピーカから出力された音声を標準マイクで拾音して電気信号に変換する。そして、標準マイクから出力された電気信号をスペクトルアナライザで周波数解析し、得られた周波数特性を設計値と比較した結果に基づいてイコライザの補正データを生成し、イコライザの設定を行う。
【先行技術文献】
【特許文献】
【０００６】
【特許文献１】特開２００１−１９７５８５号公報
【発明の概要】
【発明が解決しようとする課題】
【０００７】
特許文献１の周波数特性調整システムでは、携帯端末の音声出力部の調整のために、マイク、スペクトルアナライザ、補正データ生成装置からなる大規模な調整システムを用意する必要がある。また、テスト用音声データを用いて所望の周波数範囲全域における周波数特性を取得し補正データを生成するため、データ処理量も多くなる。よって、補正データ生成装置として、一定の処理能力を有する演算装置を用意する必要がある。
【０００８】
また、内蔵スピーカや周辺回路を構成する部品の経年劣化により、部品の特性が変化したことにより、音声出力部の変換効率の周波数特性が設計値に適合しなくなった場合には、調整システムが用意された場所まで携帯端末を持ってくる煩わしさがあった。
【０００９】
本発明は、上記実情に鑑みてなされたものであり、簡易な構成で音声出力部の調整をすることができ、所望の特性を有する音声出力部を備えた音声出力装置等を提供することを目的とする。
【課題を解決するための手段】
【００１０】
上記目的を達成するため、本発明に係る音声出力装置は、
音声データ信号を出力する音声データ信号出力手段と、
スピーカと、
前記音声データ信号出力手段から出力された音声データ信号を予め設定された周波数特性を有する増幅率で増幅し、増幅した信号を前記スピーカに供給する信号増幅手段と、
複数の固定周波数のサンプル音データ信号を生成し、前記スピーカに順次供給し、前記スピーカが出力した音声の強度を順次取得するスピーカ出力強度取得手段と、
各固定周波数の前記サンプル音データ信号が示す信号強度と前記スピーカ出力強度取得手段により取得された出力音声強度とに基づいて、前記信号増幅手段の増幅率の周波数特性を求め、前記信号増幅手段に設定する増幅率算出設定手段と、
を有することを特徴とする。
【発明の効果】
【００１１】
本発明によれば、簡易な構成で音声出力部の調整をすることができ、音声出力装置の音声出力部に所望の特性を持たせることができる。
【図面の簡単な説明】
【００１２】
【図１】本発明の第１の実施形態に係る音声出力調整システムを示すブロック図である。
【図２】本発明の第１の実施形態に係る音声出力装置の内部構成を示すブロック図である。
【図３】本発明の第１の実施形態に係るイコライザ調整値設定処理手順を示すフローチャートである。
【図４】本発明の第１の実施形態に係るイコライザ調整値設定処理手順を説明するための図である。
【図５】本発明の第２の実施形態に係るイコライザ調整値設定処理手順を示すフローチャートである。
【図６】本発明の第２の実施形態に係るイコライザ調整値設定処理手順を説明するための図である。
【図７】本発明の第３の実施形態に係る音声出力調整システムを示すブロック図である。
【発明を実施するための形態】
【００１３】
（実施形態１）
以下、本発明の実施形態１について図面を参照して詳細に説明する。
【００１４】
実施形態１に係る音声出力装置１０は、図１に示すように、外部マイク２０を接続することで、音声出力調整システム１を構成する。音声出力装置１０は、内蔵する記憶部に保存された音声データや、各種記録媒体に記録された音声データを再生しスピーカ出力する機能を備える情報処理端末で、例えば、音声データ再生専用端末や、音声再生出力機能を有する携帯電話やＰＣ（Personal Computer）等である。
【００１５】
音声出力装置１０は、図１に示すように、制御部１０１、デジタル信号処理部１０２、イコライザ１０３、ＤＡコンバータ１０４、スピーカ１０５、マイク接続端子１０６、信号強度測定部１０７、記憶部１０８、表示部１０９、操作部１１０を備える。
【００１６】
制御部１０１は、演算装置、制御装置、主記憶装置等から構成され、音声出力装置１０の各構成部を制御すると共に、記憶部１０８に記憶されている各種プログラムを実行することにより、後述するイコライザ調整値設定処理機能等の音声出力装置１０の有する機能を実現する。
【００１７】
デジタル信号処理部１０２は、各種演算を行う論理回路又は演算装置等から構成され、制御部１０１からの制御信号に従い、記憶部１０８から読み出したデータの復号処理や音声データのフィルタリング処理を含むデジタル信号処理を行い、得られた音声データ信号をイコライザ１０３に出力する。
【００１８】
イコライザ１０３は、各種演算を行う論理回路又は演算装置等から構成され、制御部１０１からの制御信号に従い、デジタル信号処理部１０２から入力された音声データ信号に基づく信号の強度が、所定の周波数特性を有する増幅率で増幅されるようにデータ処理を行う。そして、この処理が施された音声データ信号をＤＡコンバータ１０４に出力する。
【００１９】
ＤＡコンバータ１０４は入力された音声データ信号（デジタル信号）をアナログ電気信号に変換し、スピーカ１０５に出力する。スピーカ１０５は、入力されたアナログ電気信号を音声に変換して、出力する。
【００２０】
ここで、デジタル信号処理部１０２とイコライザ１０３とＤＡコンバータ１０４とスピーカ１０５は、これらの組み合わせにより音声出力装置１０の音声出力特性が決まるため、デジタル信号処理部１０２とイコライザ１０３とＤＡコンバータ１０４とスピーカ１０５からなる構成部を音声出力部１１と総称する。
【００２１】
マイク接続端子１０６は、外部マイク２０の出力端子が接続される。外部マイク２０は、入力された音声をアナログ電気信号に変換して出力する。外部マイク２０は、スピーカ１０５の至近に配置され、スピーカ１０５から出力される音声を拾音し、アナログ電気信号に変換して出力する。外部マイク２０から出力されたアナログ電気信号はマイク接続端子１０６を介して音声出力装置１０に入力される。
【００２２】
信号強度測定部１０７は入力信号の強度を測定する機能を有する。信号強度測定部１０７はマイク接続端子１０６から入力されたアナログ電気信号の強度（以下、マイク出力強度と呼ぶ）を測定し、測定値を制御部１０１で読み取り可能なデータに変換して、制御部１０１に出力する。
【００２３】
記憶部１０８は、例えば、フラッシュメモリ等の読み書き可能な不揮発性の半導体メモリから構成され、音声信号データ、イコライザ設定パラメータなどの設定データ等を記憶する。本実施形態では、後述するイコライザ調整値設定処理で用いるサンプル音の固定周波数や強度等の情報や、音声出力部１１の電気音声変換効率の設計値を記憶している。これらの記憶されたデータはユーザの操作や制御部１０１の制御により書き換え可能な構成である。
【００２４】
また、記憶部１０８は、イコライザ調整値設定処理機能等の音声出力装置１０が有する機能を実現するアプリケーションのプログラム等も記憶する。
【００２５】
表示部１０９は、例えば、ＬＣＤ（Liquid Crystal Display）や有機ＥＬ（Electro -Luminescence）ディスプレイ等の表示デバイスから構成され、画像、図形、文字、記号などの情報表示出力を行う。例えば、イコライザ調整値設定処理を含む各種処理の実行時には、表示部１０９に各種処理の実行を指示するための操作画面等を表示する。
【００２６】
操作部１１０は、方向キー、決定キー、テンキー、ファンクションキー等の各種のキーボタンやダイヤル等から構成され、ユーザからの操作入力を受け付け、受け付けた操作入力に係る信号を制御部１０１に送出する。例えば、操作部１１０はユーザから、音声出力装置１０の電源ＯＮ／ＯＦＦ操作、データ入力操作、イコライザ調整値設定処理を含む各種処理の実行を指示する操作等を受け付ける。
【００２７】
以上のように構成された音声出力装置１０と外部マイク２０から構成される音声出力調整システム１において、音声出力装置１０の制御部１０１は、音声出力部１１の調整を行う。すなわち、スピーカ１０５の電気音声変換効率の周波数特性に合わせて、スピーカ１０５に供給する電気信号の強度を調整するために、イコライザの増幅率の周波数特性を調整する。
【００２８】
具体的には、制御部１０１は、互いに固定周波数の異なるサンプル音データ信号を複数生成し、デジタル信号処理部１０２、イコライザ１０３、ＤＡコンバータ１０４を介してスピーカ１０５に供給し、スピーカ１０５から順次、サンプル音を出力させる。スピーカ１０５から出力された音を外部マイク２０が拾音したときのマイク出力信号の強度を測定し、その測定結果に基づいて、イコライザ１０３の調整値を算出し、イコライザ１０３を設定する。
【００２９】
ここで、サンプル音とは、スピーカ１０５に周波数及び強度がわかっている電気信号を供給したときにスピーカから出力される音であり、単一周波数のサイン波である。また、サンプル音データ信号とは、サンプル音をスピーカ１０５より出力させるためにスピーカ１０５に供給するアナログ電気信号に対応するデジタル信号であり、固定周波数と信号強度の情報を有する音声データ信号である。
【００３０】
以下、制御部１０１が実行するイコライザ調整値設定処理について、図１乃至４を用いて詳細に説明する。
【００３１】
図２は、制御部１０１がイコライザ調整値設定処理を実行するために機能する各機能部を示した機能ブロック図である。制御部１０１は図２に示すように、サンプル音固定周波数取得部１０１１、サンプル音データ信号生成部１０１２、マイク出力強度取得部１０１３、イコライザ調整値算出部１０１４を有する。
【００３２】
サンプル音固定周波数取得部１０１１は、予め記憶部１０８に記憶しておいたサンプル音の固定周波数を読み込む。本実施形態では、サンプル音の固定周波数は、人間の可聴周波数領域内の互いに一定間隔を開けた周波数とする。
【００３３】
サンプル音データ信号生成部１０１２は、サンプル音固定周波数取得部１０１１が取得した固定周波数のサンプル音データ信号を低周波数側から順番に生成する。サンプル音データ信号生成部１０１２は、生成したサンプル音データ信号をデジタル信号処理部１０２に出力する。
【００３４】
ここで、サンプル音データ信号出力時には、デジタル信号処理部１０２、イコライザ１０３の機能を無効とする。このため、サンプル音データ信号はそのままＤＡコンバータ１０４に入力される。入力された信号はＤＡコンバータでアナログ電気信号に変換されてスピーカ１０５に入力し、スピーカ１０５はアナログ電気信号を音声に変換したサンプル音に出力する。
【００３５】
マイク出力強度取得部１０１３は、サンプル音がスピーカ１０５から出力されたタイミングに合わせて、信号強度測定部１０７が測定した信号強度を取得する。すなわち、スピーカ１０５がサンプル音データ信号に基づいて出力したサンプル音を、外部マイク２０が拾音し、そのときのマイク出力強度を信号強度測定部１０７が測定し、その測定結果をマイク出力強度取得部１０１３が取得する。
【００３６】
イコライザ調整値算出部１０１４は、マイク出力強度取得部１０１３が取得したマイク出力強度と、サンプル音データ信号が示す信号強度と、記憶部１０８に記憶している音声出力部１１の電気音声変換効率の周波数特性を示す設計値とに基づいて、イコライザ調整値を算出する。イコライザ調整値とは、イコライザが所定の周波数特性をもつ増幅率で機能するように調整するイコライザ設定パラメータである。
【００３７】
以上の各機能部を有する制御部１０１が実行するイコライザ調整値設定処理の詳細を、図３のフローチャートに沿って説明する。
【００３８】
記憶部１０８には、サンプル音の固定周波数が記憶されている。人間が認識可能な音の周波数範囲は、２０Ｈｚ〜２０ｋＨｚであると言われているが、その中で必要とされる周波数領域内の固定周波数を決定する。例えば、２００Ｈｚから４ｋＨｚまで、２００Ｈｚおきの固定周波数とする。この固定周波数は設計者又はユーザが操作部１１０を操作して記憶部１０８に記憶されている情報を書き換えることにより変更可能としてもよい。
【００３９】
図３のフローチャートは、操作部１１０が操作されることにより、イコライザ調整値設定処理の実行が指示されたときに開始される。例えば、イコライザ調整値設定処理を実行するアプリケーションの操作画面を表示部１０９に表示させ、処理実行を選択するボタンが押下されたときに開始される。
【００４０】
まず、制御部１０１のサンプル音固定周波数取得部１０１１は、記憶部１０８に記憶されているサンプル音の固定周波数ｆ１〜ｆｎを読み込む（ステップＳ１０１）。前記の周波数例では、固定周波数の数ｎが２０であり、ｆ１が２００Ｈｚ、ｆ２が４００Ｈｚ、・・・ｆｎが４ｋＨｚである。
【００４１】
固定周波数の読込みが完了すると、サンプル音データ信号生成部１０１２は、サンプル音の信号強度を記憶部１０８より読み込む（ステップＳ１０２）。本実施形態では、全固定周波数のサンプル音の信号強度は均一の値とする。
【００４２】
その後は、ステップＳ１０３〜Ｓ１０７に示すように、サンプル音データ信号生成部１０１２が、ステップＳ１０２で読み込んだ信号強度と、ステップＳ１０１で読み込んだ固定周波数を示すサンプル音データ信号を低周波数側から順次生成し、それに基づいてスピーカ１０５から出力された音を外部マイク２０で拾音して得たマイク出力強度を測定する。以下、各ステップについて述べる。
【００４３】
ステップＳ１０３でｍ＝１とする。ここでｍは、ステップＳ１０１で読み込んだ固定周波数に対応する番号であり、低周波数側から順に付した番号である。
【００４４】
サンプル音データ信号生成部１０１２は、ステップＳ１０２で読み込んだ信号強度を有し、かつ、ステップＳ１０１で読み込んだ固定周波数のうち最も低い周波数ｆ１のサンプル音データ信号を生成し出力する（ステップＳ１０４）。例えば、前記固定周波数例では最も低い周波数ｆ１は２００Ｈｚであるため、２００Ｈｚのサンプル音データ信号Ｓ１を生成し出力する（ステップＳ１０４）。
【００４５】
ここで、各固定周波数のサンプル音の長さは、スピーカ１０５から出力される音の強度を正確に取得するために、少なくとも２波長分必要である。よって、サンプル音の長さは、各固定周波数に対して２波長分以上の任意の長さであり、周波数毎に変えてもよい。
【００４６】
出力されたサンプル音データ信号は、デジタル信号処理部１０２、イコライザ１０３で何ら処理を施されず、その後段のＤＡコンバータ１０４でアナログ電気信号に変換され、得られたアナログ電気信号がスピーカ１０５で電気音声変換され、スピーカ１０５よりサンプル音が出力される。
【００４７】
スピーカ１０５から出力されたサンプル音を外部マイク２０で拾音し、音声電気変換して出力した信号の強度（マイク出力強度）を信号強度測定部１０７で測定する。つまり、２００Ｈｚのアナログ電気信号の強度を測定する（ステップＳ１０５）。
【００４８】
その後、ｍを１ずつ増やし固定周波数を低周波数側から順番に変えて、ステップＳ１０４のサンプル音データ信号の生成、出力とステップＳ１０５のマイク出力信号の強度測定を繰り返す（ステップＳ１０４〜Ｓ１０７）。固定周波数ｆｎのサンプル音データ信号Ｓｎの生成、出力強度測定が終わるとステップＳ１０８に進む。
【００４９】
ステップＳ１０８では、サンプル音データ信号生成部１０１２が出力するサンプル音データ信号が示す信号強度に対する、スピーカ１０５から出力されるサンプル音の強度の比（以下、実測強度比と呼ぶ）を全固定周波数について算出する。
【００５０】
次に、ステップＳ１０８で算出した実測強度比に基づいてイコライザの調整値を算出する（ステップＳ１０９）。
【００５１】
イコライザの調整値の算出の具体例について、図４を用いて説明する。
サンプル音データ信号生成部１０１２が出力するサンプル音データ信号が示す信号強度と固定周波数の関係を図４（ａ）に示す。ｆＲは測定する周波数領域であり、この領域内で等間隔にある固定周波数のサンプル音データ信号を例示したものである。この例ではサンプル音データ信号が示す信号強度の周波数特性は全固定周波数に対して均一の値である平坦な特性となっている。
【００５２】
図４（ａ）のサンプル音データ信号に基づいて、スピーカ１０５から出力されたサンプル音を、外部マイク２０で拾音して電気信号に変換し出力したマイク出力強度の実測し（ステップＳ１０３〜Ｓ１０７）、得られた測定値を図４（ｂ）に示す。この例では、低周波数側と高周波数側で出力低下が生じている。
【００５３】
イコライザ調整値算出部１０１４は、まず、図４（ａ）に示すサンプル音データ信号が示す信号強度に対する、図４（ｂ）に示すマイク出力強度の実測値の比（実測強度比）を算出する（ステップＳ１０８）。この例では、サンプル音データ信号が示す信号強度は全固定周波数において均一の値であるため、この実測強度比は、マイク出力強度と同様な周波数特性を有する。
【００５４】
ここで、実測強度比は、音声出力部１１に入力されるサンプル音データ信号が示す信号強度に対する、音声出力部１１から出力されるサンプル音の強度の比であるから、音声出力部１１の電気音声変換効率を表していると言える。なお、図４の例においては、デジタル信号処理部１０２とイコライザ１０３は無効としているため、実測強度比はスピーカ１０５の電気音声変換効率の周波数特性を表していると言える。
【００５５】
このサンプル音データ信号が示す信号強度に対するマイク出力強度の比の比較対象である基準値を図４（ｃ）に示す。基準値は、任意に設計可能である。基準値は、記憶部１０８に記憶されているため、イコライザ調整値算出部１０１４がステップＳ１０８の調整値算出時に読み込む。この例での基準値は、周波数領域ｆＲにおいて、均一の値としている。
【００５６】
イコライザ調整値算出部１０１４は、サンプル音データ信号が示す信号強度に対する、実測したマイク出力強度の比（実測強度比）と、基準値を比較することによりイコライザ１０３の増幅率の周波数特性を算出する。具体的には、各固定周波数において、基準値を実測強度比で除算したものを増幅率とする。つまり、イコライザ１０３の増幅率に音声出力部１１のイコライザ以外部分の電気音声変換効率を乗算した値が基準値と等しくなるように増幅率を決定する。
【００５７】
このようにして各固定周波数に対する増幅率を表したポイントを、イコライザ１０３の調整機能に対応したフィッティング関数でフィッティングする。これにより、実測した固定周波数の間の増幅率も予想し、周波数領域ｆＲ全域の増幅率の周波数特性を算出する。このようにして算出された結果を図４（ｄ）に示す。
【００５８】
イコライザ１０３の調整機能に対応したフィッティング関数が、例えば増幅度を変更する周波数帯域とその周波数帯域における増幅度で表されるものであった場合には、イコライザ調整値算出部１０１４は、前記フィッティング結果に基づいて、各周波数帯域毎の増幅度からなる調整値のデータを算出し（ステップＳ１０９）、イコライザ１０３に出力する。また、電源をＯＦＦした後も算出した調整値を使用することができるように、記憶部１０８に記憶させる。
【００５９】
イコライザ１０３は、入力された調整値データで設定される（ステップＳ１１０）。そして、イコライザ調整値設定処理を終了する。
【００６０】
このイコライザ調整値設定処理によってイコライザの調整を行うことにより、通常の音声出力装置使用時には、制御部１０１の制御により出力される音声データ信号をイコライザ１０３で増幅調整したものに基づいて、スピーカ１０５から音声出力させるため、所望の電気音声変換効率をもつ音声出力部１１で音声を出力させることができる。
【００６１】
以上説明したように、本実施形態においては、制御部１０１が生成し出力する複数の固定周波数のサンプル音データ信号に基づいてスピーカ１０５から出力されたサンプル音を、外部マイク２０で拾音したときのマイク出力強度を測定し、サンプル音データ信号が示す信号強度に対する、マイク出力強度の比からイコライザ１０３の増幅率を算出し、その増幅率を実現するためのイコライザ１０３の調整値を算出し設定することとした。これにより、小規模な測定部や制御部を備えた小型の音声出力装置１０に外部マイク２０を接続するという簡易かつ小規模な構成で、音声出力装置１０毎に音声出力部１１の調整が可能となり、所望の電気音声変換効率の周波数特性を有する音声出力部１１から音声出力させることが可能となる。つまり、別途測定器や制御用のコンピュータなどを用意する必要もなく、特殊な調整技術も要することなく、容易に音声出力部の調整か可能となる。
【００６２】
（実施形態２）
以下、本発明の実施形態２について図１、２、５、６を参照して説明する。
本実施形態に係る音声出力調整システム１の構成と、音声出力装置１０の内部構成は、実施形態１と同様である。
【００６３】
本実施形態は、音声出力装置１０の制御部１０１が実行するイコライザ調整値設定処理の内容が実施形態１と異なる。本実施形態に係る制御部１０１は、最初に広い周波数間隔の固定周波数のサンプル音データ信号に基づいてスピーカ１０５から出力されたサンプル音を、外部マイク２０で拾音したときのマイク出力強度を測定し、次に隣り合う固定周波数におけるマイク出力強度の差が大きい周波数帯域において、再度固定周波数の間隔を狭くしてマイク出力強度を測定するという処理を行う。この処理内容について、図５のフローチャートを用いて詳細に説明する。
【００６４】
実施形態１と同様に、制御部１０１のサンプル音固定周波数取得部１０１１が、記憶部１０８に記憶されているサンプル音の固定周波数ｆ１〜ｆｎを読み込み（ステップＳ１０１）、サンプル音データ信号生成部１０１２が、サンプル音の信号強度を記憶部１０８より読み込む（ステップＳ１０２）。
【００６５】
サンプル音データ信号生成部１０１２は、ステップＳ１０２で読み込んだ信号強度とステップＳ１０１で読み込んだ固定周波数を示すサンプル音データ信号を低周波数側から順番に生成し出力する（ステップＳ１０４）。そのサンプル音データ信号に基づいて、スピーカ１０５より出力されたサンプル音を、外部マイク２０で拾音したときのマイク出力強度を信号強度測定部１０７で測定する（ステップＳ１０５）。
【００６６】
ステップＳ１０４からステップＳ１０７を繰り返すことにより、全固定周波数のサンプル音データ信号に基づいてスピーカ１０５から出力するサンプル音を外部マイク２０で拾音したときのマイク出力強度の測定を行う。全固定周波数の測定が終了すると、ステップＳ１０５で隣り合う固定周波数におけるマイク出力強度の差が所定以上の帯域があるか否かを判定する（ステップ２０１）。例えば、隣り合う固定周波数におけるマイク出力強度の差が予め定めた値以上である帯域があるか否か等により判定する。全周波数領域において隣り合う固定周波数におけるマイク出力強度の差が所定以上の帯域がないと判定された場合には、ステップＳ１０８に進む。
【００６７】
一方、ステップＳ２０１で隣り合う固定周波数におけるマイク出力強度の差が所定以上の帯域があると判定された場合には、この帯域において、正確なマイク出力強度の周波数特性を取得するために、より狭い間隔の固定周波数におけるマイク出力強度を再測定する。つまり、サンプル音の固定周波数の再設定を行い（ステップＳ２０２）、その後、ステップＳ１０２に戻り、ステップＳ１０２〜Ｓ１０７の処理を再度行う。
【００６８】
ステップＳ２０２で再設定した固定周波数におけるマイク出力強度の測定が終わると、隣り合う固定周波数におけるマイク出力強度の差が所定以上の帯域があるか否かを再度判定し、隣り合う固定周波数におけるマイク出力強度の差が所定以上の帯域がないと判定された場合には、ステップＳ１０８に進む。
【００６９】
ステップＳ１０８では、サンプル音データ信号が示す信号強度に対する、スピーカ１０５から出力されるサンプル音の強度の比（実測強度比）を算出する。その後、ステップＳ１０８で算出した実測強度比に基づいてイコライザの調整値を算出し（ステップＳ１０９）、イコライザに調整値を出力し、イコライザをその調整値で設定する（ステップＳ１１０）。
【００７０】
本実施形態におけるイコライザの調整値の算出の具体例について、図６を用いて説明する。
図６（ａ）に、初回にサンプル音データ信号生成部１０１２が出力するサンプル音データ信号が示す信号強度と固定周波数の関係を示す。最初は、スピーカ１０５等の変換効率の周波数特性の傾向がわからないため、固定周波数の間隔を広く取っている。この例ではサンプル音データ信号が示す信号強度は全固定周波数に対して均一の値である平坦な特性となっている。
【００７１】
図６（ａ）のサンプル音データ信号に基づいて、スピーカ１０５から出力されたサンプル音を、外部マイク２０で拾音したときのマイク出力信号の強度の実測し（ステップＳ１０３〜Ｓ１０７）、得られた値を図６（ｂ）に示す。この例では、ｆＲ１で示した周波数帯域内で、隣り合う固定周波数におけるマイク出力強度の差が予め定めた値以上であると判定されたとする（ステップＳ２０１）。
【００７２】
この場合、ｆＲ１で示した周波数帯域で、固定周波数の間隔を狭くして、再測定する（ステップＳ２０２、Ｓ１０２〜Ｓ１０７）。再測定の際、サンプル音データ信号生成部１０１２が出力するサンプル音データ信号が示す信号強度と固定周波数の関係を図６（ｃ）に示す。このサンプル音データ信号を使用して再測定して得られた結果を図６（ｄ）に示す。再測定した結果、隣り合う固定周波数におけるマイク出力強度の差が予め定めた値未満であり、マイク出力強度の差が小さいと判定されると（ステップＳ２０１：Ｎｏ）、ステップＳ１０８の処理に進む。
【００７３】
イコライザ調整値算出部１０１４は、ステップＳ１０８で、図６（ａ）、図６（ｃ）に示すサンプル音データ信号が示す信号強度に対する、図６（ｂ）、図６（ｄ）に示すマイク出力強度の実測値の比（実測強度比）を算出する。この例では、サンプル音データ信号が示す信号強度は全固定周波数において均一の値であるため、この実測強度比は、マイク出力強度と同様の周波数特性を有する。
【００７４】
ここで、実測強度比は、音声出力部１１に入力されるサンプル音データ信号が示す信号強度に対する、音声出力部１１から出力されるサンプル音の強度の比であるから、音声出力部１１の電気音声変換効率を表していると言える。なお、図６の例においては、デジタル処理部１０２とイコライザ１０３は無効としているため、実測強度比はスピーカ１０５の電気音声変換効率の周波数特性を表していると言える。
【００７５】
このサンプル音データ信号が示す信号強度に対するマイク出力強度の比の比較対象である基準値を図６（ｃ）に示す。基準値は、任意に設計可能である。基準値は、記憶部１０８に記憶されているため、イコライザ調整値算出部１０１４がステップＳ１０８の調整値算出時に読み込む。この例での基準値は、周波数領域ｆＲにおいて、均一の値としている。
【００７６】
イコライザ調整値算出部１０１４は、サンプル音データ信号が示す信号強度に対する、実測したマイク出力強度の比（実測強度比）と、基準値を比較することによりイコライザ１０３の増幅率の周波数特性を算出する。具体的には、各固定周波数において、基準値を実測強度比で除算したものを増幅率とする。つまり、イコライザ１０３の増幅率に音声出力部１１のイコライザ以外部分の電気音声変換効率を乗算した値が基準値と等しくなるように増幅率を決定する。
【００７７】
このようにして各固定周波数に対する増幅率を表したポイントを、イコライザ１０３の調整機能に対応したフィッティング関数でフィッティングする。これにより、実測した固定周波数の間の増幅率も予想し、周波数領域ｆＲ全域の周波数特性を算出する。このようにして算出された結果を図６（ｆ）に示す。
【００７８】
イコライザ１０３の調整機能に対応したフィッティング関数が、例えば増幅度を変更する周波数帯域とその周波数帯域における増幅度で表されるものであった場合には、イコライザ調整値算出部１０１４は、前記フィッティング結果に基づいて、各周波数帯域毎の増幅度からなる調整値のデータを算出し（ステップＳ１０９）、イコライザ１０３に出力する。また、電源をＯＦＦした後も算出した調整値を使用することができるように、記憶部１０８に記憶させる。
【００７９】
イコライザ１０３は、入力された調整値データで設定される（ステップＳ１１０）。そして、イコライザ調整値設定処理を終了する。
【００８０】
図６で説明した具体例からもわかるように、隣り合う固定周波数におけるマイク出力強度の差が大きい部分について、狭い間隔で再測定を行うことにより、マイク出力強度、すなわち音声出力部１１の電気音声変換効率の周波数特性をより正確に把握することができる。その結果、イコライザ１０３に設定する調整値を、より適切な値とすることができる。
【００８１】
このようにして得られた調整値でイコライザの調整を行い、通常の音声出力装置使用時には、制御部１０１の制御により出力される音声データ信号をイコライザ１０３で増幅調整したものに基づいて、スピーカ１０３から音声出力させるため、所望の電気音声変換効率をもつ音声出力部１１で音声を出力させることができる。
【００８２】
以上説明したように、本実施形態においては、初めは、広い周波数間隔の固定周波数のサンプル音データ信号に基づいてスピーカ１０５から出力されたサンプル音を、外部マイク２０で拾音したときのマイク出力強度を測定し、次に隣り合う固定周波数におけるマイク出力強度の差が大きい周波数帯域において、再度固定周波数の間隔を狭くしてマイク出力強度を測定することとした。これにより、マイク出力強度の周波数特性をより正確に把握することができ、より適切なイコライザ１０３の調整が可能となる。また、最初から周波数間隔を狭くする場合と比較して、測定周波数も減らすことができ、イコライザ１０３の増幅率の算出のための演算量も少なくすることができる。
【００８３】
（実施形態３）
以下、本発明の実施形態３について図７を参照して説明する。
【００８４】
実施形態３に係る音声出力装置３０は、実施形態１と同様に、内蔵する記憶部に保存された音声データや、各種記録媒体に記録された音声データを再生しスピーカ出力する機能を備える情報処理端末である。図７に示すように音声出力装置３０と音声出力装置３０に接続する外部マイク２０、外部音源４０、外部音源４０用のスピーカ５０で音声出力調整システム２を構成する。
【００８５】
音声出力装置３０は、図７に示すように、制御部１０１、デジタル信号処理部１０２、スピーカ入力用のイコライザ１０３、ＤＡコンバータ１０４、スピーカ１０５、マイク接続端子１０６、記憶部１０８、表示部１０９、操作部１１０、ＡＤコンバータ１１１、マイク出力用のイコライザ１１２、音声処理部１１３を備える。
【００８６】
外部音源４０は、出力音強度の周波数特性が予め把握できている音を、スピーカ５０から出力することができる音源である。
【００８７】
音声出力装置３０の制御部１０１、デジタル信号処理部１０２、スピーカ入力用のイコライザ１０３、ＤＡコンバータ１０４、スピーカ１０５、マイク接続端子１０６、記憶部１０８、表示部１０９、操作部１１０の構成、機能は実施形態１の音声出力装置１０と同様である。
【００８８】
ＡＤコンバータ１１１は入力されたアナログ信号を量子化してデジタル信号に変換して出力する変換器であり、ここでは、外部音源４０のスピーカ５０から出力した音や、音声出力装置１０のスピーカ１０５から出力された音を示すアナログ電気信号を音データ信号（デジタル信号）に変換し、イコライザ１１２に出力する。
【００８９】
イコライザ１１２は、各種演算を行う論理回路又は演算装置等から構成され、制御部１０１からの制御信号に従い、ＡＤコンバータ１１１から入力された音データ信号が示す信号強度の周波数特性を変更する処理を行う。すなわち、信号強度を周波数に応じて設定された増幅率で増幅する処理を行う。そして、この処理が施された音データ信号を音声処理部１１３に出力する。
【００９０】
音声処理部１１３は、各種演算を行う論理回路又は演算装置等から構成され、制御部１０１からの制御信号に従い、入力された音データ信号の信号強度を取得したり、入力された音データ信号を制御部１０１で取り扱い可能なデータに変換する等のデジタル信号処理を行う。
【００９１】
以上のように構成された音声出力装置３０、外部マイク２０、外部音源４０、スピーカ５０から構成される音声出力調整システム２において、音声出力装置３０の制御部１０１は、音声出力部１１の調整を行う。すなわち、スピーカ１０５の電気音声変換効率の周波数特性に合わせて、スピーカ１０５に供給する電気信号の強度を調整するために、イコライザの増幅率の周波数特性を調整する。
【００９２】
実施形態３において、制御部１０１が実行するイコライザ調整値設定処理は、実施形態１、２と同様である。実施形態１、２におけるイコライザ調整値設定処理は、外部マイク２０を含む音声入力経路における音声電気変換効率の周波数特性が平坦であることを前提に行っている。しかし、実際の外部マイク２０等は、音声電気変換効率の周波数特性は平坦でない場合が多い。よって、本実施形態では、マイク出力用のイコライザ１１２を用いて、外部マイク２０を含む音声入力経路の音声電気変換効率の影響を受けない構成とする。
【００９３】
まず、記憶部１０８には外部音源４０のスピーカ５０から出力される標準音の周波数特性を記憶している。
【００９４】
外部音源４０のスピーカ５０から固定周波数の標準音が出力されると、外部マイク２０が拾音して音声電気変換したアナログ信号が、音声出力装置３０のマイク接続端子１０６に入力される。よって、制御部１０１は、外部音源４０のスピーカ５０から標準音が出力されるタイミングに合わせて、マイク接続端子１０６に入力されたアナログ信号をＡＤコンバータ１１１でＡＤ変換させて得られた音データ信号の信号強度を音声処理部１１３で取得させる。
【００９５】
そして、記憶部１０８に記憶されている標準音の強度に対する、音声処理部１１３が取得した音データ信号の強度の比（以下、マイク実測強度比と呼ぶ）を算出する。この比は外部マイク２０から音声処理部１１３までの音声入力経路のうちイコライザ１１２以外の音声電気変換効率を示す。
【００９６】
このマイク実測強度比の周波数特性を反転させた周波数特性をマイク出力用のイコライザ１１２の増幅率に持たせれば、イコライザ１１２を含めた音声入力経路の音声電気変換効率の周波数特性が平坦となる。つまり、イコライザ１１２の増幅率は、固定周波数に依らず一定の値である基準値を、マイク実測強度比で除算して求める。
【００９７】
このようにイコライザ１１２の増幅率を算出して、その増幅率に基づいてイコライザ１１２の設定を行う。そして、イコライザ１１２の設定を行った状態で、実施形態１、２で説明したイコライザ調整値設定処理を実行する。
【００９８】
以上説明したように、本実施形態においては、標準音を出力する外部音源４０を用いて、外部マイク２０を含む音声入力経路における音声電気変換効率が平坦となるように、マイク出力用のイコライザ１１２を調整しておく。これにより、マイク等の音声電気変換効率の影響を受けることなく、スピーカ出力用のイコライザ１０３の調整を適切に行うことができ、所望の電気音声変換効率の周波数特性を有する音声出色部１１から音声出力させることが可能となる。
【００９９】
このように本発明は、複数の固定周波数のサンプル音データ信号に基づいてスピーカから出力されたサンプル音を、外部マイクで拾音したときのマイク出力強度を測定し、マイク出力強度とサンプル音データ信号が示す信号強度の比に基づいて、イコライザの調整値を算出し設定することとした。これにより、簡易な構成で音声出力部の調整をすることができ、音声出力部に所望の特性を持たせることが可能となる。
【０１００】
なお、本発明は、上記実施形態に限定されず、本発明の要旨を逸脱しない範囲での種々の変更は勿論可能である。
【０１０１】
例えば、サンプル音データ信号に基づいてスピーカ１０５から出力したサンプル音の強度を測定する際にイコライザ１０３を無効としたが、予め定めた調整値を設定したイコライザ１０３を有効にして測定を行ってもよい。これにより、スピーカ１０５の電気音声変換効率の傾向が把握できている場合等に、イコライザ１０３増幅率の調整幅が小さくなり、調整処理を確実に行うことができる。
【０１０２】
また、サンプル音データ信号の固定周波数の間隔を測定周波数領域において一定間隔とし、サンプル音データ信号が示す信号強度を測定周波数領域において均一の値としたが、固定周波数、信号強度は任意に設定してもよい。スピーカ１０５の電気音声変換効率等の傾向が把握できている場合に、最適の測定条件を設定することにより、制御部１０１による処理量を軽減することができる。
【０１０３】
また、上記実施形態において、サンプル音データ信号が示す強度に対するマイク出力強度の比を比較する対象である基準値の周波数特性を、測定周波数領域において平坦である例を示したが、基準値の周波数特性は任意の特性としてもよい。また、設計者、ユーザの操作により任意に設定可能としてもよい。例えば、低音を強調したい場合には、低周波数側の基準値を高く設定する。これにより、設計者の設計仕様、ユーザの好みに応じて、任意の特性のスピーカ出力音を得ることができる。
【０１０４】
また、上記実施形態において、外部マイク２０を接続してイコライザ調整値設定処理を行うとしたが、音声出力装置３０に内蔵されるマイクを用いて測定を行ってもよい。これにより、更に簡略化した構成で、音声出力部の調整が可能となる。
【０１０５】
また、上記実施形態の音声出力装置１０は、音声データを再生しスピーカ出力する機能を備える情報処理端末であるとしたが、この音声出力装置１０は、携帯可能な装置であっても、据え置き型の装置であってもよい。音声出力装置が大規模な据え置き型の装置である場合には、イコライザを自動調整する機能を備える音声出力部１１を、小規模かつ簡易的なもので構成することができる。
【０１０６】
また、上記実施形態の音声出力装置１０が実行したプログラムを、既存の携帯オーディオプレーヤや携帯電話等に適用することで、当該携帯オーディオプレーヤ等を本発明に係る音声出力装置として機能させることも可能である。
【０１０７】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical disk）、メモリカード等のコンピュータ読み取り可能な記録媒体に格納して配布してもよいし、携帯電話網やインターネット等の通信ネットワークを介して配布してもよい。音声出力装置が他の通信機器とデータ送受信する通信機能を有している場合には、通信ネットワークを介して、音声出力装置にプログラムデータを直接ダウンロードするようにしてもよい。
【０１０８】
上記の実施形態の一部又は全部は、以下の付記のようにも記載されうるが、以下には限られない。
【０１０９】
（付記１）
音声データ信号を出力する音声データ信号出力手段と、
スピーカと、
前記音声データ信号出力手段から出力された音声データ信号を予め設定された周波数特性を有する増幅率で増幅し、増幅した信号を前記スピーカに供給する信号増幅手段と、
複数の固定周波数のサンプル音データ信号を生成し、前記スピーカに順次供給し、前記スピーカが出力した音声の強度を順次取得するスピーカ出力強度取得手段と、
各固定周波数の前記サンプル音データ信号が示す信号強度と前記スピーカ出力強度取得手段により取得された出力音声強度とに基づいて、前記信号増幅手段の増幅率の周波数特性を求め、前記信号増幅手段に設定する増幅率算出設定手段と、
を有することを特徴とする音声出力装置。
【０１１０】
（付記２）
前記増幅率算出設定手段は、各固定周波数の前記サンプル音データ信号が示す信号強度に対する、前記スピーカ出力強度取得手段により取得された出力音声強度の強度比の周波数特性を算出し、前記信号増幅手段の増幅率に前記強度比を乗じた値の周波数特性が、予め定めた基準値の周波数特性に等しくなるように、増幅率の周波数特性を求め、前記信号増幅手段に設定する、
ことを特徴とする付記１記載の音声出力装置。
【０１１１】
（付記３）
前記基準値の周波数特性は、人間の可聴周波数領域内において略平坦である、
ことを特徴とする付記２記載の音声出力装置。
【０１１２】
（付記４）
前記サンプル音データ信号の固定周波数は、人間の可聴周波数領域内の略等間隔の周波数である、
ことを特徴とする付記１乃至３のいずれか１項に記載の音声出力装置。
【０１１３】
（付記５）
前記スピーカ出力強度取得手段は、各固定周波数のサンプル音データ信号を少なくとも２波長分生成させたものをスピーカに順次供給して、前記スピーカが出力した音声の強度を順次取得する、
ことを特徴とする付記１乃至４のいずれか１項に記載の音声出力装置。
【０１１４】
（付記６）
前記音声出力装置に外部マイクを接続するマイク接続端子を更に有し、
前記スピーカ出力強度取得手段は、前記スピーカが出力した音声を前記マイク接続端子に接続した前記外部マイクで拾音して音声電気変換したマイク出力信号を前記マイク接続端子を介して取得し、前記マイク出力信号の強度を測定することにより、前記各固定周波数の出力音声強度を順次取得する、
ことを特徴とする付記１乃至５のいずれか１項に記載の音声出力装置。
【０１１５】
（付記７）
前記マイク出力信号を予め設定された周波数特性を有する増幅率で増幅するマイク出力信号増幅手段を更に有し、
前記マイク出力信号増幅手段の増幅率の周波数特性は、前記外部マイクの音声電気変換効率の周波数特性に基づいて設定され、
前記スピーカ出力強度取得手段は、前記スピーカが出力した音声を前記外部マイクで拾音し、前記マイク出力信号を前記マイク出力信号増幅手段で増幅させた信号の強度を測定することにより、前記各固定周波数の出力音声強度を順次取得する、
ことを特徴とする付記６記載の音声出力装置。
【０１１６】
（付記８）
音声データ信号を出力する音声データ信号出力部と、スピーカと、前記音声データ信号出力部から出力された音声データ信号を予め設定された周波数特性を有する増幅率で増幅し、増幅した信号を前記スピーカに供給する信号増幅部と、を備える音声出力装置における音声出力調整方法であって、
複数の固定周波数のサンプル音データ信号を生成し、前記スピーカに順次供給し、前記スピーカが出力した音声の強度を順次取得するスピーカ出力強度取得ステップと、
各固定周波数の前記サンプル音データ信号が示す信号強度と前記スピーカ出力強度取得ステップにより取得された出力音声強度とに基づいて、前記信号増幅部の増幅率の周波数特性を求め、前記信号増幅部に設定する増幅率算出設定ステップと、
を有することを特徴とする出力強度調整方法。
【０１１７】
（付記９）
音声データ信号を出力する音声データ信号出力部と、スピーカと、前記音声データ信号出力部から出力された音声データ信号を予め設定された周波数特性を有する増幅率で増幅し、増幅した信号を前記スピーカに供給する信号増幅部と、を備える音声出力装置を制御するコンピュータに、
複数の固定周波数のサンプル音データ信号を生成し、前記スピーカに順次供給し、前記スピーカが出力した音声の強度を順次取得するスピーカ出力強度取得手順と、
各固定周波数の前記サンプル音データ信号が示す信号強度と前記スピーカ出力強度取得手順により取得された出力音声強度とに基づいて、前記信号増幅部の増幅率の周波数特性を求め、前記信号増幅部に設定する増幅率算出設定手順と、
を実行させるためのプログラム。
【符号の説明】
【０１１８】
１…音声出力調整システム、１０、３０…音声出力装置、１０１…制御部、１０１１…サンプル音固定周波数取得部、１０１２…サンプル音データ信号生成部、１０１３…マイク出力強度取得部、１０１４…イコライザ調整値算出部、１０２…デジタル信号処理部、１０３…イコライザ、１０４…ＤＡコンバータ、１０５…スピーカ、１０６…マイク接続端子、１０７…信号強度測定部、１０８…記憶部、１０９…表示部、１１０…操作部、１１１…ＡＤコンバータ、１１２…イコライザ、１１３…音声処理部、２０…外部マイク、４０…外部音源、５０…スピーカ
【図１】
2013042329.tif 000003
【図２】
2013042329.tif 000004
【図３】
2013042329.tif 000005
【図４】
2013042329.tif 000006
【図５】
2013042329.tif 000007
【図６】
2013042329.tif 000008
【図７】
2013042329.tif 000009